(57)【要約】【課題】選択しているオブジェクト画像が全てのオブジェクトのどこに位置しているオブジェクトに対応したオブジェクト画像であるかを視覚的に認識することができるオブジェクト画像表示装置を提供する【解決手段】オブジェクト画像の総数はＮである。表示部１０９にＮ個のオブジェクト画像の内、Ｎ個より少ない個数のオブジェクト画像を予め定めた表示規則に従って表示する。選択オブジェクト画像ＯＢ１，ＯＢ２，ＯＢ20，ＯＢ40，ＯＢ50等をｎ個のオブジェクト画像分だけ移行させると、オブジェクト画像ＯＢ１の表示位置と選択オブジェクト画像ＯＢ50の表示位置との間の距離をＮより１を減じた数で除算した値にｎを乗じた距離だけずらした位置を新たな選択オブジェクト画像の位置とする。【選択図】図１
2011134193.tif 000002
【特許請求の範囲】
【請求項１】
数Ｎを複数の自然数としたとき、Ｎ個のオブジェクトの中からいずれかのオブジェクトを選択するための前記Ｎ個それぞれのオブジェクトに対応したオブジェクト画像を生成するオブジェクト画像生成部と、
前記Ｎ個のオブジェクト画像の内、前記Ｎ個より少ない個数のオブジェクト画像を予め定めた表示規則に従って表示部に表示するよう制御する制御部とを備え、
前記制御部は、前記表示規則として、
前記Ｎ個のオブジェクトを所定の配列順序で並べたときの最も順位が高い第１のオブジェクトに対応した第１のオブジェクト画像を選択しているときには、前記第１のオブジェクト画像を選択オブジェクト画像として前記表示部の第１の位置に表示させ、前記第１のオブジェクト以降の下位の複数のオブジェクトに対応した複数のオブジェクト画像を非選択オブジェクト画像として所定の数だけ配列させて表示し、
前記Ｎ個のオブジェクトを前記所定の配列順序で並べたときの最も順位が低い第２のオブジェクトに対応した第２のオブジェクト画像を選択しているときには、前記第２のオブジェクト画像を選択オブジェクト画像として前記表示部の第２の位置に表示させ、前記第２のオブジェクト以前の上位の複数のオブジェクトに対応した複数のオブジェクト画像を非選択オブジェクト画像として所定の数だけ配列させて表示し、
前記第１のオブジェクトと前記第２のオブジェクトとの間のいずれかである第３のオブジェクトに対応した第３のオブジェクト画像を選択しているときには、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、
数ｎを１以上の自然数としたとき、選択オブジェクト画像である前記第３のオブジェクト画像を前記第１のオブジェクト画像と前記第２のオブジェクト画像との間でｎ個のオブジェクト画像分だけ移行させると、前記第１の位置と前記第２の位置との間の距離を前記Ｎより１を減じた数で除算した値に前記ｎを乗じた距離だけずらした位置を新たな選択オブジェクト画像の位置とするよう制御する
ことを特徴とするオブジェクト画像表示装置。
【請求項２】
前記制御部は、前記表示規則として、非選択オブジェクト画像の大きさを選択オブジェクト画像から離れるほど小さくして表示するよう制御する
ことを特徴とする請求項１記載のオブジェクト画像表示装置。
【請求項３】
前記制御部は、前記表示規則として、非選択オブジェクト画像を選択オブジェクト画像から離れるほど隣接するオブジェクト画像に重なる面積の割合を大きくして表示するよう制御する
ことを特徴とする請求項１または２に記載のオブジェクト画像表示装置。
【請求項４】
数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、
前記表示部に表示されているオブジェクト画像の中で選択しているオブジェクト画像を移行させる操作に応答して、オブジェクト画像の表示状態を前記表示規則に従って遷移させる第２のステップとを含み、
前記第１のステップは、前記表示規則として、
前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、
前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、
前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、
前記第２のステップは、前記表示規則として、
数ｎを１以上の自然数としたとき、選択オブジェクト画像である前記第３のオブジェクト画像を前記第１のオブジェクト画像と前記第２のオブジェクト画像との間でｎ個のオブジェクト画像分だけ移行させると、前記第１の位置と前記第２の位置との間の距離を前記Ｎより１を減じた数で除算した値に前記ｎを乗じた距離だけずらした位置を新たな選択オブジェクト画像の位置とするよう遷移させる
ことを特徴とするオブジェクト画像表示方法。
【請求項５】
前記第１のステップは、前記表示規則として、非選択オブジェクト画像の大きさを選択オブジェクト画像から離れるほど小さくして表示する
ことを特徴とする請求項４記載のオブジェクト画像表示方法。
【請求項６】
前記第１のステップは、前記表示規則として、非選択オブジェクト画像を選択オブジェクト画像から離れるほど隣接するオブジェクト画像に重なる面積の割合を大きくして表示する
ことを特徴とする請求項４または５に記載のオブジェクト画像表示方法。
【請求項７】
コンピュータに、
数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、
前記表示部に表示されているオブジェクト画像の中で選択しているオブジェクト画像を移行させる操作に応答して、オブジェクト画像の表示状態を前記表示規則に従って遷移させる第２のステップと
を実行させるオブジェクト画像表示プログラムであり、
前記第１のステップは、前記表示規則として、
前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、
前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、
前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、
前記第２のステップは、前記表示規則として、
数ｎを１以上の自然数としたとき、選択オブジェクト画像である前記第３のオブジェクト画像を前記第１のオブジェクト画像と前記第２のオブジェクト画像との間でｎ個のオブジェクト画像分だけ移行させると、前記第１の位置と前記第２の位置との間の距離を前記Ｎより１を減じた数で除算した値に前記ｎを乗じた距離だけずらした位置を新たな選択オブジェクト画像の位置とするよう遷移させる
ことを特徴とするオブジェクト画像表示プログラム。
【請求項８】
前記第１のステップは、前記表示規則として、非選択オブジェクト画像の大きさを選択オブジェクト画像から離れるほど小さくして表示する
ことを特徴とする請求項７記載のオブジェクト画像表示プログラム。
【請求項９】
前記第１のステップは、前記表示規則として、非選択オブジェクト画像を選択オブジェクト画像から離れるほど隣接するオブジェクト画像に重なる面積の割合を大きくして表示する
ことを特徴とする請求項７または８に記載のオブジェクト画像表示プログラム。
【発明の詳細な説明】
【技術分野】
【０００１】
本発明は、表示部に複数のオブジェクト画像を表示するオブジェクト画像表示装置及び方法、コンピュータに、表示部に複数のオブジェクト画像を表示させる処理を実行させるオブジェクト画像表示プログラムに関する。
【背景技術】
【０００２】
例えば、コンテンツデータのサムネイル画像、チューナで受信する複数のチャンネルからいずれかのチャンネルを選択するための画像、アプリケーションプログラムを示すアイコン等の複数のオブジェクト画像の中からいずれかのオブジェクト画像を選択するために、表示部に複数のオブジェクト画像を表示させることが行われている。複数のオブジェクト画像を表示部に表示するオブジェクト画像表示装置及び方法は、例えば特許文献１〜５に記載されている。
【先行技術文献】
【特許文献】
【０００３】
【特許文献１】特開２００３−２６３１４８号公報
【特許文献２】特開平８−１４９３８４号公報
【特許文献３】特開２００６−２６８２９５号公報
【特許文献４】特開２００７−２７２７０１号公報
【特許文献５】特開２００８−２９３３６０号公報
【発明の概要】
【発明が解決しようとする課題】
【０００４】
記録媒体の大容量化に伴い、記録媒体に記録するコンテンツデータは増大する。すると、記録媒体に記録された複数のコンテンツデータの中からいずれかのコンテンツデータを選択する場合に、表示部に表示させるべきサムネイル画像は増大することとなる。また、テレビジョン放送の多チャンネル化に伴い、チャンネルを選択するための画像も増大することとなる。このように、表示部に表示すべきオブジェクト画像の数はますます増大する。
【０００５】
しかしながら、表示部の一画面内に表示することができるオブジェクト画像の数は限られている。従って、コンテンツデータ，チャンネル，アプリケーションプログラム等のオブジェクトが多数存在して、表示部に表示すべきオブジェクト画像が多数存在する場合には、その中の一部である複数のオブジェクト画像を表示部に表示し、目的とするオブジェクト画像が表示されるまで、表示するオブジェクト画像を順次遷移させる必要がある。オブジェクトが多数存在する場合、ある時点で選択しているオブジェクト画像が全てのオブジェクトの中のどこに位置しているオブジェクトに対応したオブジェクト画像であるかを認識することは容易ではない。
【０００６】
そこで、本発明はこのような課題に鑑み、表示部に複数のオブジェクト画像を表示していずれかのオブジェクト画像を選択しているとき、選択しているオブジェクト画像が全てのオブジェクトのどこに位置しているオブジェクトに対応したオブジェクト画像であるかを視覚的に認識することができ、オブジェクト画像の遷移を視覚的に容易に理解することができるオブジェクト画像表示装置、オブジェクト画像表示方法、オブジェクト画像表示プログラムを提供することを目的とする。
【課題を解決するための手段】
【０００７】
本発明は、上述した従来の技術の課題を解決するため、数Ｎを複数の自然数としたとき、Ｎ個のオブジェクトの中からいずれかのオブジェクトを選択するための前記Ｎ個それぞれのオブジェクトに対応したオブジェクト画像を生成するオブジェクト画像生成部（１０６，１０７ｂ）と、前記Ｎ個のオブジェクト画像の内、前記Ｎ個より少ない個数のオブジェクト画像を予め定めた表示規則に従って表示部に表示するよう制御する制御部（１０７，１１０）とを備え、前記制御部は、前記表示規則として、前記Ｎ個のオブジェクトを所定の配列順序で並べたときの最も順位が高い第１のオブジェクトに対応した第１のオブジェクト画像を選択しているときには、前記第１のオブジェクト画像を選択オブジェクト画像として前記表示部の第１の位置に表示させ、前記第１のオブジェクト以降の下位の複数のオブジェクトに対応した複数のオブジェクト画像を非選択オブジェクト画像として所定の数だけ配列させて表示し、前記Ｎ個のオブジェクトを前記所定の配列順序で並べたときの最も順位が低い第２のオブジェクトに対応した第２のオブジェクト画像を選択しているときには、前記第２のオブジェクト画像を選択オブジェクト画像として前記表示部の第２の位置に表示させ、前記第２のオブジェクト以前の上位の複数のオブジェクトに対応した複数のオブジェクト画像を非選択オブジェクト画像として所定の数だけ配列させて表示し、前記第１のオブジェクトと前記第２のオブジェクトとの間のいずれかである第３のオブジェクトに対応した第３のオブジェクト画像を選択しているときには、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、数ｎを１以上の自然数としたとき、選択オブジェクト画像である前記第３のオブジェクト画像を前記第１のオブジェクト画像と前記第２のオブジェクト画像との間でｎ個のオブジェクト画像分だけ移行させると、前記第１の位置と前記第２の位置との間の距離を前記Ｎより１を減じた数で除算した値に前記ｎを乗じた距離だけずらした位置を新たな選択オブジェクト画像の位置とするよう制御することを特徴とするオブジェクト画像表示装置を提供する。
【０００８】
上記のオブジェクト画像表示装置において、前記制御部は、前記表示規則として、非選択オブジェクト画像の大きさを選択オブジェクト画像から離れるほど小さくして表示するよう制御することが好ましい。
上記のオブジェクト画像表示装置において、前記制御部は、前記表示規則として、非選択オブジェクト画像を選択オブジェクト画像から離れるほど隣接するオブジェクト画像に重なる面積の割合を大きくして表示するよう制御することが好ましい。
【０００９】
また、本発明は、上述した従来の技術の課題を解決するため、数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、前記表示部に表示されているオブジェクト画像の中で選択しているオブジェクト画像を移行させる操作に応答して、オブジェクト画像の表示状態を前記表示規則に従って遷移させる第２のステップとを含み、前記第１のステップは、前記表示規則として、前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、前記第２のステップは、前記表示規則として、数ｎを１以上の自然数としたとき、選択オブジェクト画像である前記第３のオブジェクト画像を前記第１のオブジェクト画像と前記第２のオブジェクト画像との間でｎ個のオブジェクト画像分だけ移行させると、前記第１の位置と前記第２の位置との間の距離を前記Ｎより１を減じた数で除算した値に前記ｎを乗じた距離だけずらした位置を新たな選択オブジェクト画像の位置とするよう遷移させることを特徴とするオブジェクト画像表示方法を提供する。
【００１０】
上記のオブジェクト画像表示方法において、前記第１のステップは、前記表示規則として、非選択オブジェクト画像の大きさを選択オブジェクト画像から離れるほど小さくして表示することが好ましい。
上記のオブジェクト画像表示方法において、前記第１のステップは、前記表示規則として、非選択オブジェクト画像を選択オブジェクト画像から離れるほど隣接するオブジェクト画像に重なる面積の割合を大きくして表示することが好ましい。
【００１１】
さらに、本発明は、上述した従来の技術の課題を解決するため、コンピュータに、数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、前記表示部に表示されているオブジェクト画像の中で選択しているオブジェクト画像を移行させる操作に応答して、オブジェクト画像の表示状態を前記表示規則に従って遷移させる第２のステップとを実行させるオブジェクト画像表示プログラムであり、前記第１のステップは、前記表示規則として、前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、前記第２のステップは、前記表示規則として、数ｎを１以上の自然数としたとき、選択オブジェクト画像である前記第３のオブジェクト画像を前記第１のオブジェクト画像と前記第２のオブジェクト画像との間でｎ個のオブジェクト画像分だけ移行させると、前記第１の位置と前記第２の位置との間の距離を前記Ｎより１を減じた数で除算した値に前記ｎを乗じた距離だけずらした位置を新たな選択オブジェクト画像の位置とするよう遷移させることを特徴とするオブジェクト画像表示プログラムを提供する。
【００１２】
上記のオブジェクト画像表示プログラムにおいて、前記第１のステップは、前記表示規則として、非選択オブジェクト画像の大きさを選択オブジェクト画像から離れるほど小さくして表示することが好ましい。
上記のオブジェクト画像表示プログラムにおいて、前記第１のステップは、前記表示規則として、非選択オブジェクト画像を選択オブジェクト画像から離れるほど隣接するオブジェクト画像に重なる面積の割合を大きくして表示することが好ましい。
【発明の効果】
【００１３】
本発明のオブジェクト画像表示装置、オブジェクト画像表示方法、オブジェクト画像表示プログラムによれば、表示部に複数のオブジェクト画像を表示して、いずれかのオブジェクト画像を選択しているとき、選択しているオブジェクト画像が全てのオブジェクトのどこに位置しているオブジェクトに対応したオブジェクト画像であるかを視覚的に認識することができる。また、オブジェクト画像の遷移を視覚的に容易に理解することができる。従って、ユーザがオブジェクトを選択する際の使い勝手を向上させることができる。
【図面の簡単な説明】
【００１４】
【図１】本発明の一実施形態のオブジェクト画像表示装置を示すブロック図である。
【図２】本発明の一実施形態のオブジェクト画像表示方法を説明するための図である。
【図３】一実施形態のオブジェクト画像表示方法によるオブジェクト画像の表示例を示すである。
【図４】一実施形態のオブジェクト画像表示装置の動作を説明するためのフローチャートである。
【図５】一実施形態のオブジェクト画像表示装置の動作を説明するための図である。
【図６】図３に示す表示例によってオブジェクト画像としてサムネイル画像を表示した例を示すである。
【図７】図３に示す表示例によってオブジェクト画像として映像信号供給源を選択するための画像を表示した例を示すである。
【図８】図３に示す表示例によってオブジェクト画像として映像信号供給源を選択するための画像を表示した他の例を示すである。
【図９】図３に示す表示例によってオブジェクト画像としてメニュー画像を表示した例を示すである。
【図１０】本発明の一実施形態のオブジェクト画像表示方法によるオブジェクト画像の変形例を示すである。
【発明を実施するための形態】
【００１５】
以下、本発明のオブジェクト画像表示装置、オブジェクト画像表示方法、オブジェクト画像表示プログラムについて、添付図面を参照して説明する。本実施形態においては、オブジェクト画像表示装置として、記録再生部を内蔵した放送受信機１００を例とする。図１において、チューナ１０１はアンテナ１より入力されたテレビジョン放送の放送波信号を受信して所定の番組信号（コンテンツデータ）を復調する。チューナ１０１は地上放送波信号を受信する受信部でも、衛星放送波信号を受信する受信部でもよく、双方を備えていてもよい。アンテナ１の代わりにケーブルを介して放送波信号を受信してもよい。復調された番組信号の映像信号は映像信号切換部１０２に供給される。なお、図１においては、音声信号に関する構成を省略している。
【００１６】
記録再生駆動部１０３及び記録媒体１０４は記録再生部を構成している。記録再生駆動部１０３は、例えばマイクロコンピュータである中央制御部１１０から記録媒体１０４に記録された映像信号を再生するよう指示された場合、記録媒体１０４に記録された映像信号を再生して映像信号切換部１０２に供給する。記録媒体１０４は例えばハードディスク・ドライブ（ＨＤＤ）や半導体メモリ等である。記録媒体１０４は放送受信機１００に対して着脱自在であってもよい。
【００１７】
放送受信機１００は、例えばＨＤＭＩ（High-Definition Multimedia Interface）端子である外部入力端子１１３ａ，１１３ｂ，１１３ｃ他を備えている。外部入力端子１１３ａ，１１３ｂ，１１３ｃ他を外部入力端子１１３と総称することとする。映像信号切換部１０２には、外部入力端子１１３からの映像信号や、ネットワークインタフェース１１４を介してコンテンツサーバ４からの映像信号も入力される。このように、映像信号切換部１０２には複数の映像信号供給源から映像信号が供給される。
【００１８】
映像信号切換部１０２は、中央制御部１１０からの指示に基づいていずれかの映像信号を選択して映像信号処理部１０５に供給する。映像信号切換部１０２は複数の映像信号を選択して映像信号処理部１０５に供給することもある。本実施形態においては、映像信号供給源として、チューナ１０１，記録媒体１０４，外部入力端子１１３，装置外部のコンテンツサーバ４からの映像信号を取り込むネットワークインタフェース１１４を例にしているが、これらを全て備える必要はなく、いずれか１つのみでもよい。
【００１９】
映像信号処理部１０５は入力された映像信号に対して各種の信号処理を施して、記録再生駆動部１０３，サムネイル生成部１０６，表示制御部１０７に供給する。記録再生駆動部１０３は、中央制御部１１０からチューナ１０１，外部入力端子１１３，ネットワークインタフェース１１４のいずれかからの映像信号を記録するよう指示された場合、映像信号処理部１０５より出力された映像信号を記録媒体１０４に記録する。サムネイル生成部１０６は、入力された映像信号に基づいてサムネイル画像信号を生成する。サムネイル画像信号はコンテンツデータの例えば冒頭部分における一時点である静止画信号または所定の時間の動画像信号である。図１では図示していないが、サムネイル生成部１０６で生成したサムネイル画像信号を記録媒体１０４に記録するよう構成してもよい。
【００２０】
表示制御部１０７は、映像信号処理部１０５より出力された映像信号をフレームメモリ１０８に順次書き込む。フレームメモリ１０８より読み出された映像信号は表示部１０９に供給されて表示される。表示制御部１０７は、合成部１０７ａとオン・スクリーン・ディスプレイ（ＯＳＤ）発生部１０７ｂとを有する。表示制御部１０７は、中央制御部１１０からサムネイル画像を表示するよう指示された場合、合成部１０７ａによって映像信号処理部１０５より出力された映像信号とサムネイル生成部１０６より出力されたサムネイル画像信号とを合成してフレームメモリ１０８に書き込む。これにより、チューナ１０１等の映像信号供給源から供給された映像信号による画像上にサムネイル画像が重畳された画像が表示部１０９に表示される。表示部１０９にサムネイル画像のみを表示してもよい。
【００２１】
映像信号（コンテンツデータ）のサムネイル画像は、後述する本実施形態のオブジェクト画像表示方法に基づいて表示部１０９に表示するオブジェクト画像の一例である。
【００２２】
ユーザは、リモコン送信機２を操作することによってチューナ１０１で受信するチャンネル（放送局）を切り換えることができる。リモコン送信機２から送信されたチャンネルを切り換える操作信号は中央制御部１１０に入力される。中央制御部１１０はチャンネルを切り換えるようチューナ１０１を制御する。受信チャンネル保持部１１２はチューナ１０１で受信するチャンネル情報を保持している。中央制御部１１０は、受信チャンネル保持部１１２に保持されているチャンネル情報を参照して、リモコン送信機２で指定されたチャンネル番号のチャンネルを受信するようチューナ１０１を制御する。
【００２３】
リモコン送信機２のチャンネル切換ボタンを操作してチャンネルを切り換えることができる。また、表示部１０９に、チューナ１０１で受信する複数のチャンネルのチャンネル番号を示す画像や、それぞれのチャンネルの放送局名を示す画像を表示して、チューナ１０１で受信するチャンネルを切り換えるようにしてもよい。この場合、ＯＳＤ発生部１０７ｂによってチャンネル番号または放送局名を示す複数の画像を生成して表示部１０９に表示し、リモコン送信機２のカーソルボタンで選局したいチャンネルの画像を選択して決定ボタンで決定すればよい。
【００２４】
チューナ１０１で受信する複数のチャンネルのチャンネル番号を示す画像や、それぞれのチャンネルの放送局名を示す画像は、後述する本実施形態のオブジェクト画像表示方法に基づいて表示部１０９に表示するオブジェクト画像の他の一例である。
【００２５】
図１に示す例では、外部入力端子１１３ａ，１１３ｂには映像信号の再生装置または記録再生装置である外部機器３ａ，３ｂが接続されている。外部入力端子１１３ｃには未接続の外部機器３ｃを接続可能である。コンテンツサーバ４は映像信号（コンテンツデータ）を貯蔵しており、インターネット等のネットワーク５に接続されている。ネットワークインタフェース１１４を介してコンテンツサーバ４からの映像信号を取り込むことができる。入力判定部１１１は外部入力端子１１３及びネットワークインタフェース１１４からの映像信号の入力の有無を判定して、判定情報を中央制御部１１０に供給する。
【００２６】
チューナ１０１，記録媒体１０４，外部入力端子１１３，コンテンツサーバ４等の映像信号供給源を選択するための画像は、後述する本実施形態のオブジェクト画像表示方法に基づいて表示部１０９に表示するオブジェクト画像のさらに他の一例である。
【００２７】
次に、図２及び図３を用いて本実施形態のオブジェクト画像表示方法について説明する。以下説明する本実施形態のオブジェクト画像表示方法は中央制御部１１０に記憶されているソフトウェア（コンピュータプログラム）によって実行される。図２及び図３は、オブジェクト画像の総数が５０個の場合を例にしている。例えばサムネイル画像信号のようなオブジェクト画像信号に基づいて表示部１０９に複数のオブジェクト画像を表示する場合、オブジェクト画像信号には配列順序が予め定められている。オブジェクト画像がサムネイル画像の場合には、配列順序は例えばコンテンツデータを記録媒体１０４に記録した日時の順である。オブジェクト画像がチャンネル番号を示す画像の場合には、配列順序は例えばチャンネル番号の順である。
【００２８】
図２（Ａ）〜（Ｅ）は、それぞれ選択されているオブジェクト画像のみを図示した状態である。図２（Ａ）は、５０個のオブジェクト画像の内、配列順序が最初のオブジェクト画像ＯＢ１のみを表示部１０９に表示した状態を示している。オブジェクト画像ＯＢ１は、表示部１０９の画面の下端部から所定の距離離れ、左端部から所定の距離Ｄ１だけ離れた位置に表示されている。図２（Ｅ）は、５０個のオブジェクト画像の内、配列順序が最後のオブジェクト画像ＯＢ50のみを表示部１０９に表示した状態を示している。オブジェクト画像ＯＢ50は、表示部１０９の画面の下端部から所定の距離離れ、右端部から所定の距離Ｄ１だけ離れた位置に表示されている。ここでは左端部から距離Ｄ１と右端部からの距離Ｄ１が同じであるが、異なっていてもよい。なお、図２及び図３に示すそれぞれのオブジェクト画像には理解を容易にするため配列順序に対応した数字を付している。
【００２９】
オブジェクト画像ＯＢ１からオブジェクト画像ＯＢ50までの５０個のオブジェクト画像は、それぞれが選択されているオブジェクト画像である場合には、画面左右の二点鎖線間の距離Ｄ２の範囲に表示される。なお、一点鎖線は画面の水平方向の中央を通る線であり、破線は二点鎖線と一点鎖線の中央を通る線である。これらの二点鎖線，一点鎖線，破線は本実施形態のオブジェクト画像表示方法の理解を容易にするために図示したものである。後述する図３より理解できるように、距離Ｄ２の範囲に５０個のオブジェクト画像の全てを表示することは困難であるので、画面内には５０個より少ない所定の個数のオブジェクト画像が表示される。画面内に表示するオブジェクト画像は、選択しているオブジェクト画像に対応した複数のオブジェクト画像である。
【００３０】
図２（Ｅ）に示すように、オブジェクト画像ＯＢ１とオブジェクト画像ＯＢ50との距離はＷである。図２（Ｂ）は、５０個のオブジェクト画像の内、配列順序が２番目のオブジェクト画像ＯＢ２のみを表示部１０９に表示した状態を示している。オブジェクト画像ＯＢ２は、オブジェクト画像ＯＢ１を水平方向右側にＷ×１／４９の距離だけずらした位置に表示されている。図２（Ｃ）は、５０個のオブジェクト画像の内、配列順序が２０番目のオブジェクト画像ＯＢ20のみを表示部１０９に表示した状態を示している。オブジェクト画像ＯＢ20は、オブジェクト画像ＯＢ１を水平方向右側にＷ×１９／４９の距離だけずらした位置に表示されている。
【００３１】
図２（Ｄ）は、５０個のオブジェクト画像の内、配列順序が４０番目のオブジェクト画像ＯＢ40のみを表示部１０９に表示した状態を示している。オブジェクト画像ＯＢ40は、オブジェクト画像ＯＢ１を水平方向右側にＷ×３９／４９の距離だけずらした位置に表示されている。
【００３２】
このように、本実施形態のオブジェクト画像表示方法においては、選択するオブジェクト画像をｉ番目（ｉは１以上の整数）からｉ＋１番目に移行させると、水平方向の表示位置をＷ×１／４９の距離だけシフトさせる。ｉ番目のオブジェクト画像の表示位置は、オブジェクト画像ＯＢ１の表示位置からＷ×（ｉ−１）／４９の距離だけシフトさせた位置となる。数ｎを１以上の自然数としたとき、選択するオブジェクト画像をｉ番目からｎ個のオブジェクト画像分だけ移行させると、新たに選択するオブジェクト画像の水平方向の表示位置はｉ番目のオブジェクト画像から（Ｗ×１／４９）×ｎの距離だけシフトした位置となる。
【００３３】
図３（Ａ）〜（Ｅ）は、それぞれ選択されているオブジェクト画像と、選択されているオブジェクト画像に対応して併せて表示する非選択のオブジェクト画像とを表示部１０９に表示した状態を示している。選択オブジェクト画像を太実線で示し、非選択オブジェクト画像を細実線で示している。オブジェクト画像ＯＢ１が選択オブジェクト画像である図３（Ａ）においては、配列順序が２番目〜１０番目の非選択オブジェクト画像がそれぞれのオブジェクト画像の一部が隣接するオブジェクト画像に重なるようにして表示されている。図３（Ａ）に示すように、１０番目の非選択オブジェクト画像は画面右側の二点鎖線よりも外側に表示されている。
【００３４】
オブジェクト画像ＯＢ２が選択オブジェクト画像である図３（Ｂ）においては、配列順序が最初と３番目〜１１番目の非選択オブジェクト画像がそれぞれのオブジェクト画像の一部が隣接するオブジェクト画像に重なるようにして表示されている。図３（Ｂ）に示すように、最初の非選択オブジェクト画像は画面左側の二点鎖線よりも外側に表示されている。オブジェクト画像ＯＢ20が選択オブジェクト画像である図３（Ｃ）、オブジェクト画像ＯＢ40が選択オブジェクト画像である図３（Ｄ）においても同様に、オブジェクト画像ＯＢ20，ＯＢ40の左右に位置する非選択オブジェクト画像が表示されている。図３（Ｂ）〜（Ｄ）に示すように、表示部１０９の画面の水平方向の幅全体が表示範囲となっているが、左右に非表示の部分を設けてもよい。
【００３５】
オブジェクト画像ＯＢ50が選択オブジェクト画像である図３（Ｅ）においては、配列順序が４２番目〜４９番目の非選択オブジェクト画像がそれぞれのオブジェクト画像の一部が隣接するオブジェクト画像に重なるようにして表示されている。
【００３６】
図３に示す例では、選択オブジェクト画像及び非選択オブジェクト画像の下端部の垂直方向の位置を一定とし、選択オブジェクト画像から遠ざかるほど非選択オブジェクト画像を縮小させている。また、非選択オブジェクト画像は選択オブジェクト画像から遠ざかるほど隣接するオブジェクト画像に重なる割合が大きくなっている。任意の漸化式または関数を用いて非選択オブジェクト画像を順次縮小させればよい。同様に、任意の漸化式または関数を用いて非選択オブジェクト画像が隣接するオブジェクト画像に重なる割合が順次大きくなるような座標を決定すればよい。
【００３７】
図３（Ａ）〜（Ｅ）より分かるように、本実施形態のオブジェクト画像表示方法においては、選択オブジェクト画像の画面上の水平方向の位置が、全オブジェクト画像の配列順序の中での相対的な位置を概ね示している。例えばオブジェクト画像ＯＢ20が選択オブジェクト画像である図３（Ｃ）では、オブジェクト画像ＯＢ20は一点鎖線で示す水平方向の中央線よりも若干左側に位置していることにより、現在選択しているオブジェクト画像ＯＢ20が全オブジェクト画像の配列順序の中で中央よりも順位が若干上位であることを認識することができる。
【００３８】
次に、図４を用いて本実施形態のオブジェクト画像表示方法によってオブジェクト画像を表示する際の動作について説明する。図４において、中央制御部１１０はステップＳ２０１にてユーザがオブジェクト画像を画面表示する操作を行ったか否かを判定する。オブジェクト画像を画面表示する操作とは、例えば、リモコン送信機２によって記録媒体１０４に記録されているコンテンツデータのサムネイル画像を図３のように表示させる操作である。操作を行ったと判定されれば（YES）ステップＳ２０２に移り、判定されなければ（NO）ステップＳ２０１を繰り返す。中央制御部１１０はステップＳ２０２にて表示部１０９の画面にオブジェクト画像の配列を予め定めた規則に従って表示するよう放送受信機１００内の各部を制御する。ステップＳ２０２による画面は初期状態である。初期状態の画面は任意である。
【００３９】
中央制御部１１０はステップＳ２０３にてユーザがオブジェクト画像の配列表示を消去する操作を行ったか否か判定する。消去する操作とは、例えば、リモコン送信機２に設けられた取消ボタンや戻りボタンを押す操作である。ステップＳ２０３にて消去する操作を行ったと判定されれば（YES）、ステップＳ２０４にてオブジェクト画像の配列表示を消去してステップＳ２０１に戻る。ステップＳ２０３にて消去する操作を行ったと判定されなければ（NO）ステップＳ２０５に移る。中央制御部１１０はステップＳ２０５にてユーザがオブジェクト画像を選択する操作を行ったか否か判定する。オブジェクト画像を選択する操作とは、例えば、リモコン送信機２に設けられた右方向または左方向のカーソルボタンを押す操作である。
【００４０】
ステップＳ２０５にてオブジェクト画像を選択する操作を行ったと判定されれば（YES）ステップＳ２０６に移り、オブジェクト画像を選択する操作を行ったと判定されなければ（NO）ステップＳ２０３に戻る。中央制御部１１０はステップＳ２０６にて選択オブジェクト画像の順位を取得する。例えば図３（Ａ）の状態から右方向のカーソルボタンを押す操作を行った場合、選択オブジェクト画像の順位は２である。図３（Ｂ）の状態から右方向のカーソルボタンを押す操作を行った場合、選択オブジェクト画像の順位は３であり、図３（Ｂ）の状態から左方向のカーソルボタンを押す操作を行った場合、選択オブジェクト画像の順位は１である。
【００４１】
そして、中央制御部１１０はステップＳ２０７にて選択オブジェクト画像の順位に基づいて表示位置を算出する。選択オブジェクト画像の表示位置は図２で説明した通りであり、さらに具体的には次のようにして表示位置を算出する。オブジェクト画像の総数をＮ（Ｎは複数の自然数）、選択オブジェクト画像の順位をｉとする。配列順序が最初である最も順位が高いオブジェクト画像ＯＢ１の表示位置を（Ｘ１，Ｙ１）とする。なお、ここではオブジェクト画像の表示位置を左上の角部の座標とする。配列順序が最後である最も順位が低いオブジェクト画像の表示位置を（ＸＮ，Ｙ１）とする。水平方向の位置はＸｉ（ｉは１〜Ｎ）、垂直方向の位置はＹ１で固定である。最も順位が低いオブジェクト画像をオブジェクト画像ＯＢＮと称することとする。図３の例ではオブジェクト画像ＯＢＮはオブジェクト画像ＯＢ50であり、ＸＮはＸ50となる。
【００４２】
オブジェクト画像ＯＢ１とオブジェクト画像ＯＢＮとの距離|ＸＮ−Ｘ１|はＷである。順位ｉのオブジェクト画像が選択された場合の表示位置（Ｘｉ，Ｙｉ）は、（Ｘ１＋Ｗ×（ｉ−１）／（Ｎ−１），Ｙ１）となる。図３の例では、オブジェクト画像ＯＢ２の表示位置は（Ｘ１＋Ｗ／４９，Ｙ１）、オブジェクト画像ＯＢ20の表示位置は（Ｘ１＋Ｗ×１９／４９，Ｙ１）、オブジェクト画像ＯＢ40の表示位置は（Ｘ１＋Ｗ×３９／４９，Ｙ１）、オブジェクト画像ＯＢ50の表示位置は（Ｘ１＋Ｗ，Ｙ１）である。
【００４３】
次に、中央制御部１１０はステップＳ２０８にて選択オブジェクト画像以外の非選択オブジェクト画像の大きさを算出する。図５に示すように、選択オブジェクト画像の大きさを（横，縦）＝（Ａ，Ｂ）とすると、選択オブジェクト画像からｋ番目のオブジェクト画像の大きさ（Ａｋ，Ｂｋ）は（ｆ（ｋ）×Ａ，ｆ（ｋ）×Ｂ）となる。ｆ（ｘ）は、ｘ＞０で単調減少し、かつ、１＞ｆ（ｘ）＞０を満たす任意の関数である。関数ｆ（ｘ）は例えば、ｆ（ｘ）＝１／（１＋ｘ）、ｆ（ｘ）＝（１／２）x等である。選択オブジェクト画像からｋ番目のｋは正の値でも負の値でもよい。即ち、順位ｉ＋ｋのオブジェクト画像と順位ｉ−ｋのオブジェクト画像との大きさは等しい。
【００４４】
引き続き、中央制御部１１０はステップＳ２０９にて選択オブジェクト画像以外の非選択オブジェクト画像の表示位置を算出する。本実施形態においては、前述のように、選択オブジェクト画像から遠ざかるほどオブジェクト画像が重なる割合が大きくなるように、選択オブジェクト画像以外の非選択オブジェクト画像の表示位置を算出する。図５に示すように、選択オブジェクト画像の中心座標（Ｘｃｉ，Ｙｃｉ）は（Ｘｉ＋Ａ／２，Ｙｉ−Ｂ／２）となる。
【００４５】
選択オブジェクト画像からｋ番目のオブジェクト画像の表示位置の座標（Ｘｋ，Ｙｋ）は、選択オブジェクト画像の右側に位置するｉから＋ｋ番目の場合には、（Ｘｉ＋Ａ／２＋ｇ（ｋ）−Ａｋ／２，Ｙｉ−Ｂ＋Ｂｋ）となり、選択オブジェクト画像の左側に位置するｉから−ｋ番目の場合には、（Ｘｉ＋Ａ／２−ｇ（ｋ）−Ａｋ／２，Ｙｉ−Ｂ＋Ｂｋ）となる。ｇ（ｘ）はｘ＞０で単調増加し、かつ、ｇ（ｘ）＞０を満たす任意の関数である。なお、関数ｇ（ｘ）としては、オブジェクト画像が重なるような関数を用いることが好ましい。
【００４６】
そして、中央制御部１１０はステップＳ２１０にて選択オブジェクト画像及び非選択オブジェクト画像全てのオブジェクト画像の位置及び大きさを変更して表示部１０９に再表示するよう、表示制御部１０７を制御する。以上により、リモコン送信機２に設けられた右方向のカーソルボタンを押すことにより図３（Ａ）の状態から図３（Ｅ）の状態まで選択オブジェクト画像を右方向に順次移行させることができる。また、左方向のカーソルボタンを押すことにより図３（Ｅ）の状態から図３（Ａ）の状態まで選択オブジェクト画像を左方向に順次移行させることができる。
【００４７】
なお、ステップＳ２０２での表示状態からステップＳ２１０での表示状態に遷移させる際に、ステップＳ２０２での表示状態からステップＳ２１０での表示状態へと徐々に変化させることが好ましい。２つの表示状態間の遷移を所定の時間をかけて行うことにより、ユーザは選択オブジェクト画像の移行を容易に認識することができる。
【００４８】
図６〜図９はオブジェクト画像の具体的な表示例である。図６は記録媒体１０４に記録されたコンテンツデータのサムネイル画像をオブジェクト画像として表示している例である。例えばデジタルスチルカメラで撮影した静止画の写真データをオブジェクト画像としてもよい。この場合は図６と同様の表示状態となる。図７はチューナ１０１，記録媒体１０４，外部入力端子１１３，コンテンツサーバ４等の映像信号供給源を選択するための画像をオブジェクト画像として表示している例である。図７に示す例では、チューナ１０１によって地上デジタル放送とＢＳ（衛星放送）デジタル放送とが選択できる状態を示している。また、外部入力端子１１３ａ，１１３ｂ，１１３ｃがそれぞれＨＤＭＩ−１，ＨＤＭＩ−２，ＨＤＭＩ−３となっている状態を示している。
【００４９】
図８は、入力判定部１１１によって映像信号の入力がないと判定された映像信号供給源を選択できないことをユーザが理解しやすいように表示している例である。図１の例では、外部入力端子１１３ｃ（ＨＤＭＩ−３）には外部機器３ｃが接続されていないため、ＨＤＭＩ−３のオブジェクト画像を破線にて表示している。選択不可であるオブジェクト画像を薄く表示してもよいし、色を異ならせて表示してもよいし、非表示としてもよい。なお、外部機器が物理的に接続されていても外部機器の電源を投入していない場合には、入力判定部１１１によって映像信号の入力がないと判定されるため、外部機器の電源を投入していない場合も同様の表示状態となる。
【００５０】
図９は、放送受信機１００における各種の設定を調整するためのメニュー画像をオブジェクト画像として表示している例である。メニュー画像として、初期設定，映像調節，音質調整，画面サイズ，省エネ（省エネルギ）設定等を示している。また、図示していないが、アプリケーションプログラムを選択するためのアイコン等の画像をオブジェクト画像とすることもできる。
【００５１】
以上のように、本実施形態のオブジェクト画像表示方法によれば、例えば、図３（Ａ）の状態から図３（Ｂ）の状態に移行した場合、選択オブジェクト画像であるオブジェクト画像ＯＢ１は縮小した状態で画面左側の二点鎖線より左側に移動して非選択オブジェクト画像となり、新たにオブジェクト画像ＯＢ２が選択オブジェクト画像となる。同様に、図３（Ｅ）の状態から左隣の数字４９を付したオブジェクト画像を選択すると、オブジェクト画像ＯＢ50は縮小した状態で画面右側の二点鎖線より右側に移動して非選択オブジェクト画像となり、左隣のオブジェクト画像が選択オブジェクト画像となる。従って、ユーザはオブジェクト画像の遷移を視覚的に容易に理解することができる。
【００５２】
次に、図１０を用いて本実施形態のオブジェクト画像表示方法の変形例について説明する。図３の表示方法は選択オブジェクト画像及び非選択オブジェクト画像の下端部の垂直方向の位置を一定とした場合の例である。これに対して図１０に示す変形例の表示方法は、選択オブジェクト画像の下端部の垂直方向の位置を一定としつつ、非選択オブジェクト画像の下端部の垂直方向の位置を変位させるように表示するようにしたものである。任意の漸化式または関数を用いて非選択オブジェクト画像の下端部の垂直方向の位置を順次変位させればよい。図１０に示す変形例においては、太実線で示す選択オブジェクト画像の左右に位置する非選択オブジェクト画像の位置を選択オブジェクト画像から離れるほど上方向に変位させて表示し、選択オブジェクト画像が常に最も下に位置するように表示している。
【００５３】
以上説明した本実施形態のオブジェクト画像表示装置、オブジェクト画像表示方法、オブジェクト画像表示プログラムについて改めて説明する。図１において、サムネイル生成部１０６またはＯＳＤ発生部１０７ｂは、Ｎ個のオブジェクトの中からいずれかのオブジェクトを選択するためのＮ個それぞれのオブジェクトに対応したオブジェクト画像を生成するオブジェクト画像生成部である。表示制御部１０７及び中央制御部１１０は、Ｎ個のオブジェクト画像の内、Ｎ個より少ない個数のオブジェクト画像を予め定めた表示規則に従って表示部１０９に表示するよう制御する制御部である。なお、オブジェクト画像生成部は、Ｎ個それぞれのオブジェクトに対応したオブジェクト画像を一時に生成する必要はない。選択オブジェクト画像を遷移させるそれぞれの画面に対応して、少なくとも表示部１０９に表示するオブジェクト画像を生成すればよい。
【００５４】
本実施形態では、中央制御部１１０が表示規則を保持している。表示規則は次の通りである。図３（Ａ），図１０（Ａ）に示すように、Ｎ個のオブジェクトを所定の配列順序で並べたときの最も順位が高い第１のオブジェクトに対応した第１のオブジェクト画像（オブジェクト画像ＯＢ１）を選択しているときには、第１のオブジェクト画像を選択オブジェクト画像として表示部１０９の第１の位置に表示させ、第１のオブジェクト以降の下位の複数のオブジェクトに対応した複数のオブジェクト画像を非選択オブジェクト画像として所定の数だけ配列させて表示する。配列方向は例えば水平方向である。
【００５５】
図３（Ｅ），図１０（Ｅ）に示すように、Ｎ個のオブジェクトを所定の配列順序で並べたときの最も順位が低い第２のオブジェクトに対応した第２のオブジェクト画像（オブジェクト画像ＯＢ50）を選択しているときには、第２のオブジェクト画像を選択オブジェクト画像として表示部１０９の第２の位置に表示させ、第２のオブジェクト以前の上位の複数のオブジェクトに対応した複数のオブジェクト画像を非選択オブジェクト画像として所定の数だけ配列させて表示する。
【００５６】
図３（Ｂ）〜（Ｄ），図１０（Ｂ）〜（Ｄ）に示すように、第１のオブジェクトと第２のオブジェクトとの間のいずれかである第３のオブジェクトに対応した第３のオブジェクト画像（オブジェクト画像ＯＢ２，ＯＢ20，ＯＢ40等）を選択しているときには、第３のオブジェクト画像を選択オブジェクト画像として第１の位置と第２の位置との間に表示する。選択オブジェクト画像はオブジェクト画像の全体が表示された状態となっている。併せて、少なくとも第１の位置と第２の位置との間に、第３のオブジェクト画像以降の下位のオブジェクトに対応した一または複数のオブジェクト画像と、第３のオブジェクト以前の上位のオブジェクトに対応した一または複数のオブジェクト画像との少なくとも一方を非選択オブジェクト画像として所定の数だけ配列させて表示する。
【００５７】
図３（Ｂ）〜（Ｄ）や図１０（Ｂ）〜（Ｄ）に示すように、第１の位置と第２の位置の外側の領域にも非選択オブジェクト画像を表示しているので、第３のオブジェクト画像以降の下位のオブジェクトに対応した一または複数のオブジェクト画像と、第３のオブジェクト以前の上位のオブジェクトに対応した一または複数のオブジェクト画像との双方が表示される。
【００５８】
非選択オブジェクト画像を表示できる数は、非選択オブジェクト画像を縮小させる程度と、隣接するオブジェクト画像を重ねる割合と、表示部１０９のどの範囲をオブジェクト画像の表示領域とするかによって決まる。
【００５９】
そして、選択オブジェクト画像である第３のオブジェクト画像を第１のオブジェクト画像と第２のオブジェクト画像との間でｎ個のオブジェクト画像分だけ移行させると、第１の位置と第２の位置との間の距離をＮより１を減じた数で除算した値にｎを乗じた距離だけずらした位置を新たな選択オブジェクト画像の位置とするようオブジェクト画像の表示状態を遷移させる。
【００６０】
さらに、図１の放送受信機１００では、本実施形態のオブジェクト画像表示方法によってオブジェクト画像が表示される。具体的には、数Ｎを複数の自然数としたとき、Ｎ個のオブジェクトの中からＮ個より少ない個数のオブジェクトに対応したオブジェクト画像を予め定めた表示規則に従って表示部１０９に表示する第１のステップと、表示部１０９に表示されているオブジェクト画像の中で選択しているオブジェクト画像を移行させる操作に応答して、オブジェクト画像の表示状態を表示規則に従って遷移させる第２のステップとが実行される。表示規則は上述の通りである。中央制御部１１０は、上記の第１及び第２のステップを実行させる本実施形態のオブジェクト画像表示プログラムを保持している。
【００６１】
図４におけるステップＳ２０２またはＳ２１０が上記の第１のステップに相当する。図４におけるステップＳ２０５でオブジェクト画像を選択する操作を行ったと判定された場合のステップＳ２０６〜Ｓ２１０が上記の第２のステップに相当する。
【００６２】
本発明は以上説明した本実施形態に限定されるものではなく、本発明の要旨を逸脱しない範囲において種々変更可能である。本発明は本実施形態で例とした放送受信機の他、ビデオカメラ、デジタルスチルカメラ等の任意の電子機器に用いることが可能である。また、本発明のオブジェクト画像表示プログラムを記録媒体に記録して提供してもよいし、インターネット等のネットワークを介してパーソナル・コンピュータにダウンロードさせるようにしてもよい。
【符号の説明】
【００６３】
１００  放送受信機
１０１  チューナ
１０２  映像信号切換部
１０３  記録再生駆動部
１０４  記録媒体
１０５  映像信号処理部
１０６  サムネイル生成部（オブジェクト画像生成部）
１０７  表示制御部（制御部）
１０７ａ  合成部
１０７ｂ  オン・スクリーン・ディスプレイ発生部（オブジェクト画像生成部）
１０８  フレームメモリ
１０９  表示部
１１０  中央制御部（制御部）
１１１  入力判定部
１１２  受信チャンネル保持部
１１３ａ，１１３ｂ，１１３ｃ  外部入力端子
１１４  ネットワークインタフェース
【図１】
2011134193.tif 000003
【図２】
2011134193.tif 000004
【図３】
2011134193.tif 000005
【図４】
2011134193.tif 000006
【図５】
2011134193.tif 000007
【図６】
2011134193.tif 000008
【図７】
2011134193.tif 000009
【図８】
2011134193.tif 000010
【図９】
2011134193.tif 000011
【図１０】
2011134193.tif 000012
【手続補正書】
【提出日】平成23年2月16日(2011.2.16)
【手続補正１】
【補正対象書類名】特許請求の範囲
【補正対象項目名】全文
【補正方法】変更
【補正の内容】
【特許請求の範囲】
【請求項１】
数Ｎを複数の自然数としたとき、Ｎ個のオブジェクトの中からいずれかのオブジェクトを選択するための前記Ｎ個それぞれのオブジェクトに対応したオブジェクト画像を生成するオブジェクト画像生成部と、
前記Ｎ個のオブジェクト画像の内、前記Ｎ個より少ない個数のオブジェクト画像を予め定めた表示規則に従って表示部に表示するよう制御する制御部とを備え、
前記制御部は、前記表示規則として、
前記Ｎ個のオブジェクトを所定の配列順序で並べたときの最も順位が高い第１のオブジェクトに対応した第１のオブジェクト画像を選択しているときには、前記第１のオブジェクト画像を選択オブジェクト画像として前記表示部の第１の位置に表示させ、前記第１のオブジェクト以降の下位の複数のオブジェクトに対応した複数のオブジェクト画像を非選択オブジェクト画像として所定の数だけ配列させて表示し、
前記Ｎ個のオブジェクトを前記所定の配列順序で並べたときの最も順位が低い第２のオブジェクトに対応した第２のオブジェクト画像を選択しているときには、前記第２のオブジェクト画像を選択オブジェクト画像として前記表示部の第２の位置に表示させ、前記第２のオブジェクト以前の上位の複数のオブジェクトに対応した複数のオブジェクト画像を非選択オブジェクト画像として所定の数だけ配列させて表示し、
前記第１のオブジェクトと前記第２のオブジェクトとの間のいずれかである第３のオブジェクトに対応した第３のオブジェクト画像を選択しているときには、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、
数ｎを１以上の自然数としたとき、選択オブジェクト画像である前記第３のオブジェクト画像を前記第１のオブジェクト画像と前記第２のオブジェクト画像との間でｎ個のオブジェクト画像分だけ前記第１の位置または前記第２の位置の方向に移行させると、移行前の前記第３のオブジェクト画像を表示する位置から、前記第１の位置と前記第２の位置との間の距離を前記Ｎより１を減じた数で除算した値に前記ｎを乗じた距離だけ前記第１の位置または前記第２の位置の方向にずらした位置を新たな選択オブジェクト画像の位置とするよう制御する
ことを特徴とするオブジェクト画像表示装置。
【請求項２】
前記制御部は、前記表示規則として、非選択オブジェクト画像の大きさを選択オブジェクト画像から離れるほど小さくして表示するよう制御する
ことを特徴とする請求項１記載のオブジェクト画像表示装置。
【請求項３】
前記制御部は、前記表示規則として、非選択オブジェクト画像を選択オブジェクト画像から離れるほど隣接するオブジェクト画像に重なる面積の割合を大きくして表示するよう制御する
ことを特徴とする請求項１または２に記載のオブジェクト画像表示装置。
【請求項４】
数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、
前記表示部に表示されているオブジェクト画像の中で選択しているオブジェクト画像を移行させる操作に応答して、オブジェクト画像の表示状態を前記表示規則に従って遷移させる第２のステップとを含み、
前記第１のステップは、前記表示規則として、
前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、
前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、
前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、
前記第２のステップは、前記表示規則として、
数ｎを１以上の自然数としたとき、選択オブジェクト画像である前記第３のオブジェクト画像を前記第１のオブジェクト画像と前記第２のオブジェクト画像との間でｎ個のオブジェクト画像分だけ前記第１の位置または前記第２の位置の方向に移行させると、移行前の前記第３のオブジェクト画像を表示する位置から、前記第１の位置と前記第２の位置との間の距離を前記Ｎより１を減じた数で除算した値に前記ｎを乗じた距離だけ前記第１の位置または前記第２の位置の方向にずらした位置を新たな選択オブジェクト画像の位置とするよう遷移させる
ことを特徴とするオブジェクト画像表示方法。
【請求項５】
前記第１のステップは、前記表示規則として、非選択オブジェクト画像の大きさを選択オブジェクト画像から離れるほど小さくして表示する
ことを特徴とする請求項４記載のオブジェクト画像表示方法。
【請求項６】
前記第１のステップは、前記表示規則として、非選択オブジェクト画像を選択オブジェクト画像から離れるほど隣接するオブジェクト画像に重なる面積の割合を大きくして表示する
ことを特徴とする請求項４または５に記載のオブジェクト画像表示方法。
【請求項７】
コンピュータに、
数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、
前記表示部に表示されているオブジェクト画像の中で選択しているオブジェクト画像を移行させる操作に応答して、オブジェクト画像の表示状態を前記表示規則に従って遷移させる第２のステップと
を実行させるオブジェクト画像表示プログラムであり、
前記第１のステップは、前記表示規則として、
前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、
前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、
前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、
前記第２のステップは、前記表示規則として、
数ｎを１以上の自然数としたとき、選択オブジェクト画像である前記第３のオブジェクト画像を前記第１のオブジェクト画像と前記第２のオブジェクト画像との間でｎ個のオブジェクト画像分だけ前記第１の位置または前記第２の位置の方向に移行させると、移行前の前記第３のオブジェクト画像を表示する位置から、前記第１の位置と前記第２の位置との間の距離を前記Ｎより１を減じた数で除算した値に前記ｎを乗じた距離だけ前記第１の位置または前記第２の位置の方向にずらした位置を新たな選択オブジェクト画像の位置とするよう遷移させる
ことを特徴とするオブジェクト画像表示プログラム。
【請求項８】
前記第１のステップは、前記表示規則として、非選択オブジェクト画像の大きさを選択オブジェクト画像から離れるほど小さくして表示する
ことを特徴とする請求項７記載のオブジェクト画像表示プログラム。
【請求項９】
前記第１のステップは、前記表示規則として、非選択オブジェクト画像を選択オブジェクト画像から離れるほど隣接するオブジェクト画像に重なる面積の割合を大きくして表示する
ことを特徴とする請求項７または８に記載のオブジェクト画像表示プログラム。
【手続補正２】
【補正対象書類名】明細書
【補正対象項目名】０００７
【補正方法】変更
【補正の内容】
【０００７】
本発明は、上述した従来の技術の課題を解決するため、数Ｎを複数の自然数としたとき、Ｎ個のオブジェクトの中からいずれかのオブジェクトを選択するための前記Ｎ個それぞれのオブジェクトに対応したオブジェクト画像を生成するオブジェクト画像生成部（１０６，１０７ｂ）と、前記Ｎ個のオブジェクト画像の内、前記Ｎ個より少ない個数のオブジェクト画像を予め定めた表示規則に従って表示部に表示するよう制御する制御部（１０７，１１０）とを備え、前記制御部は、前記表示規則として、前記Ｎ個のオブジェクトを所定の配列順序で並べたときの最も順位が高い第１のオブジェクトに対応した第１のオブジェクト画像を選択しているときには、前記第１のオブジェクト画像を選択オブジェクト画像として前記表示部の第１の位置に表示させ、前記第１のオブジェクト以降の下位の複数のオブジェクトに対応した複数のオブジェクト画像を非選択オブジェクト画像として所定の数だけ配列させて表示し、前記Ｎ個のオブジェクトを前記所定の配列順序で並べたときの最も順位が低い第２のオブジェクトに対応した第２のオブジェクト画像を選択しているときには、前記第２のオブジェクト画像を選択オブジェクト画像として前記表示部の第２の位置に表示させ、前記第２のオブジェクト以前の上位の複数のオブジェクトに対応した複数のオブジェクト画像を非選択オブジェクト画像として所定の数だけ配列させて表示し、前記第１のオブジェクトと前記第２のオブジェクトとの間のいずれかである第３のオブジェクトに対応した第３のオブジェクト画像を選択しているときには、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、数ｎを１以上の自然数としたとき、選択オブジェクト画像である前記第３のオブジェクト画像を前記第１のオブジェクト画像と前記第２のオブジェクト画像との間でｎ個のオブジェクト画像分だけ前記第１の位置または前記第２の位置の方向に移行させると、移行前の前記第３のオブジェクト画像を表示する位置から、前記第１の位置と前記第２の位置との間の距離を前記Ｎより１を減じた数で除算した値に前記ｎを乗じた距離だけ前記第１の位置または前記第２の位置の方向にずらした位置を新たな選択オブジェクト画像の位置とするよう制御することを特徴とするオブジェクト画像表示装置を提供する。
【手続補正３】
【補正対象書類名】明細書
【補正対象項目名】０００９
【補正方法】変更
【補正の内容】
【０００９】
また、本発明は、上述した従来の技術の課題を解決するため、数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、前記表示部に表示されているオブジェクト画像の中で選択しているオブジェクト画像を移行させる操作に応答して、オブジェクト画像の表示状態を前記表示規則に従って遷移させる第２のステップとを含み、前記第１のステップは、前記表示規則として、前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、前記第２のステップは、前記表示規則として、数ｎを１以上の自然数としたとき、選択オブジェクト画像である前記第３のオブジェクト画像を前記第１のオブジェクト画像と前記第２のオブジェクト画像との間でｎ個のオブジェクト画像分だけ前記第１の位置または前記第２の位置の方向に移行させると、移行前の前記第３のオブジェクト画像を表示する位置から、前記第１の位置と前記第２の位置との間の距離を前記Ｎより１を減じた数で除算した値に前記ｎを乗じた距離だけ前記第１の位置または前記第２の位置の方向にずらした位置を新たな選択オブジェクト画像の位置とするよう遷移させることを特徴とするオブジェクト画像表示方法を提供する。
【手続補正４】
【補正対象書類名】明細書
【補正対象項目名】００１１
【補正方法】変更
【補正の内容】
【００１１】
さらに、本発明は、上述した従来の技術の課題を解決するため、コンピュータに、数Ｎを複数の自然数としたとき、Ｎ個のオブジェクトの中から前記Ｎ個より少ない個数のオブジェクトに対応したオブジェクト画像を予め定めた表示規則に従って表示部に表示する第１のステップと、前記表示部に表示されているオブジェクト画像の中で選択しているオブジェクト画像を移行させる操作に応答して、オブジェクト画像の表示状態を前記表示規則に従って遷移させる第２のステップとを実行させるオブジェクト画像表示プログラムであり、前記第１のステップは、前記表示規則として、前記Ｎ個のオブジェクトを所定の配列順序で並べたときの最も順位が高い第１のオブジェクトに対応した第１のオブジェクト画像を選択オブジェクト画像として前記表示部に表示する際には、前記第１のオブジェクト画像を前記表示部の第１の位置に表示し、前記第１のオブジェクト以降の下位の複数のオブジェクトに対応した複数のオブジェクト画像を非選択オブジェクト画像として所定の数だけ配列させて表示し、前記Ｎ個のオブジェクトを前記所定の配列順序で並べたときの最も順位が低い第２のオブジェクトに対応した第２のオブジェクト画像を選択オブジェクト画像として前記表示部に表示する際には、前記第２のオブジェクト画像を前記表示部の第２の位置に表示し、前記第２のオブジェクト以前の上位の複数のオブジェクトに対応した複数のオブジェクト画像を非選択オブジェクト画像として所定の数だけ配列させて表示し、前記第１のオブジェクトと前記第２のオブジェクトとの間のいずれかである第３のオブジェクトに対応した第３のオブジェクト画像を選択オブジェクト画像として前記表示部に表示する際には、前記表示部の前記第１の位置より外側の部分と前記第１の位置と前記第２の位置との間と前記表示部の前記第２の位置より外側の部分とを含む領域に、前記第３のオブジェクト画像以降の下位のオブジェクトに対応した一または複数のオブジェクト画像と、前記第３のオブジェクト以前の上位のオブジェクトに対応した一または複数のオブジェクト画像とを非選択オブジェクト画像として所定の数だけ配列させて表示し、前記第２のステップは、前記表示規則として、数ｎを１以上の自然数としたとき、選択オブジェクト画像である前記第３のオブジェクト画像を前記第１のオブジェクト画像と前記第２のオブジェクト画像との間でｎ個のオブジェクト画像分だけ前記第１の位置または前記第２の位置の方向に移行させると、移行前の前記第３のオブジェクト画像を表示する位置から、前記第１の位置と前記第２の位置との間の距離を前記Ｎより１を減じた数で除算した値に前記ｎを乗じた距離だけ前記第１の位置または前記第２の位置の方向にずらした位置を新たな選択オブジェクト画像の位置とするよう遷移させることを特徴とするオブジェクト画像表示プログラムを提供する。